(57)【要約】【課題】チャンネルサーチを適切なタイミングで実行するとともに、チャンネルサーチ時においても番組の視聴を可能とし、更には、番組の映像・音声信号が途切れるなどの受信不良の発生を抑えることができるデジタル放送受信装置を提供する。【解決手段】地域ごとの放送エリアに対応させた放送局情報を保持し、ＧＰＳ受信部より車両の現在位置が地域の受信エリアを越えたことを検知した場合は、放送局情報をもとにチャンネルサーチを開始する。制御部２１は、切替部１８に指示して強階層の映像・音声信号を選択させると共に、複数の受信系統を２つのグループに分割し、一方の受信系統のグループにはチャンネルサーチを行わせ、他方の受信系統のグループには番組を受信させる。【選択図】図１
2010141420.tif 000002
【特許請求の範囲】
【請求項１】
階層伝送により映像・音声信号がノイズ耐性に強い第１の階層と、ノイズ耐性に弱い第２の階層で伝送されるデジタル放送信号を受信するデジタル放送受信装置であって、
受信アンテナと選局部と復調部を有する複数の受信部と、
前記複数の受信部の出力信号をダイバーシティ合成するダイバーシティ合成部と、
前記ダイバーシティ合成部から出力されたデジタルデータから、前記第１の階層のデジタルデータと前記第２の階層のデジタルデータをそれぞれデコードするデコード部と、
前記デコード部から出力された前記第１の階層の映像・音声信号と前記第２の階層の映像・音声信号のうち、いずれか一方を選択して出力する切替部と、
前記ダイバーシティ合成部から出力されたデジタルデータから、チャンネル情報を抽出する番組情報抽出部と、
前記デジタル放送受信装置の現在位置を示す位置情報を取得する位置情報取得部と、
放送エリアに対応させたチャンネルリストを記憶する受信エリア記憶部と、
前記位置情報に示されたデジタル放送受信装置の現在位置が、前記受信エリア記憶部に記憶された現在受信しているチャンネルの放送エリアを越えた場合はチャンネルサーチを開始し、チャンネルサーチ時には、前記複数の受信部を２つに分割して一方にはチャンネルサーチを行わせ、他方には前記映像・音声信号を受信させ、また前記切替部に指示して前記第１の階層の映像・音声信号を選択させる制御部と
を備えたことを特徴とするデジタル放送受信装置。
【請求項２】
請求項１に記載のデジタル放送受信装置において、前記複数の受信部は４つの受信部で構成され、前記チャンネルサーチ時には内２つの受信部にはチャンネルサーチを行わせ、残る２つの受信部には前記映像・音声信号を受信させることを特徴とするデジタル放送受信装置。
【請求項３】
請求項１に記載のデジタル放送受信装置において、前記複数の受信部は４つの受信部で構成され、前記チャンネルサーチ時には内１つの受信部にはチャンネルサーチを行わせ、残る３つの受信部には前記映像・音声信号を受信させることを特徴とするデジタル放送受信装置。
【請求項４】
請求項１に記載のデジタル放送受信装置において、前記複数の受信部は４つの受信部で構成され、前記チャンネルサーチ時には内３つの受信部にはチャンネルサーチを行わせ、残る１つの受信部には前記映像・音声信号を受信させることを特徴とするデジタル放送受信装置。
【請求項５】
請求項１に記載のデジタル放送受信装置において、前記制御部は、前記位置情報取得部より現在受信しているチャンネルの放送エリアから他の放送エリアに入ったことを検知した場合は、前記受信エリア記憶部から、現在位置の放送エリアにおいて現在受信しているチャンネルと同一系列の放送局についての中継局の物理チャンネルを参照し、これらの物理チャンネルを探索する第３ステップとを備えたことを特徴とするデジタル放送受信装置。
【請求項６】
階層伝送により映像・音声信号がノイズ耐性に強い第１の階層と、ノイズ耐性に弱い第２の階層で伝送されるデジタル放送信号を受信するためのダイバーシティ受信方法であって、
前記デジタル放送信号を受信し選局し復調する複数の受信部を有する受信ステップと、
前記受信ステップの出力信号をダイバーシティ合成するダイバーシティ合成ステップと、
前記ダイバーシティ合成ステップから出力されたデジタルデータから、前記第１の階層のデジタルデータと前記第２の階層のデジタルデータをそれぞれデコードするデコードステップと、
前記デコードステップから出力された前記第１の階層の映像・音声信号と前記第２の階層の映像・音声信号のうち、いずれか一方を選択して出力する切替ステップと、
前記ダイバーシティ合成ステップから出力されたデジタルデータから、チャンネル情報を抽出する番組情報抽出ステップと、
前記デジタル放送受信装置の現在位置を示す位置情報を取得する位置情報取得ステップと、
放送エリアに対応させたチャンネルリストを記憶する受信エリア記憶ステップとを有し、
前記位置情報ステップに示されたデジタル放送受信装置の現在位置が、前記受信エリア記憶部に記憶された現在受信しているチャンネルの放送エリアを越えた場合はチャンネルサーチを開始し、チャンネルサーチ時には、前記複数の受信部を２つに分割して一方はチャンネルサーチを行い、他方は前記映像・音声信号を受信し、前記切替ステップは前記第１の階層の映像・音声信号を選択することを特徴とするデジタル放送受信方法。
【発明の詳細な説明】
【技術分野】
【０００１】
本発明は、デジタル放送受信装置およびデジタル放送受信方法に係わり、特に自動車などの移動体において複数のアンテナを用いてデジタル放送を受信するデジタル放送受信装置およびデジタル放送受信方法に関する。
【背景技術】
【０００２】
日本の地上デジタル放送では、各放送局が送信する放送電波の周波数は異なっている。このため、自動車などの移動体に搭載されたデジタル放送受信装置は、ある放送局の番組を視聴中に、この放送局の受信エリアを外れると、それまで視聴していた番組の受信ができなくなってしまう。そのため、放送局の受信エリアをまたぐ場合は、受信可能な放送局をサーチする必要がある。このチャンネルサーチ処理は、全５０チャンネルに対して放送波の有無を確認する処理を繰り返すことから、時間がかかるという問題がある。
【０００３】
この時間を短縮するために、例えば、特許文献１に開示されるような放送受信装置がある。この放送受信装置は、制御部がチューナ部を制御して、受信可能な１つの放送局を検出し、この放送局の識別情報と、局−地域変換テーブルに基づいて、当該放送受信装置が現在位置する地域を特定する。そして、制御部は、この特定した地域と地域−局変換テーブルとに基づいて、この地域において受信可能な放送局の物理チャンネルを検出し、各物理チャンネルが実際に受信できるか検証し、実際に受信できた物理チャンネルのみを視聴可能周波数テーブルに記憶して、このテーブルに記憶される物理チャンネルからユーザが視聴する物理チャンネルを選択するようにしている。
【０００４】
【特許文献１】特開２００７−２８８６０３号公報
【発明の開示】
【発明が解決しようとする課題】
【０００５】
しかしながら、前述した放送受信装置では、チャンネルサーチ中は放送番組を視聴することができない。本発明は、上記問題点を鑑みて考案されたものであり、その目的は、チャンネルサーチ時においても番組の視聴を可能とし、更には、番組の映像・音声信号が途切れるなどの受信不良の発生を抑えることができるデジタル放送受信装置およびデジタル放送受信方法を提供することにある。
【課題を解決するための手段】
【０００６】
上記目的を達成するため本発明は、階層伝送により映像・音声信号がノイズ耐性に強い第１の階層と、ノイズ耐性に弱い第２の階層で伝送されるデジタル放送信号を受信するデジタル放送受信装置であって、受信アンテナと選局部と復調部を有する複数の受信部と、前記複数の受信部の出力信号をダイバーシティ合成するダイバーシティ合成部と、前記ダイバーシティ合成部から出力されたデジタルデータから、前記第１の階層のデジタルデータと前記第２の階層のデジタルデータをそれぞれデコードするデコード部と、前記デコード部から出力された前記第１の階層の映像・音声信号と前記第２の階層の映像・音声信号のうち、いずれか一方を選択して出力する切替部と、前記ダイバーシティ合成部から出力されたデジタルデータから、チャンネル情報を抽出する番組情報抽出部と、前記デジタル放送受信装置の現在位置を示す位置情報を取得する位置情報取得部と、放送エリアに対応させたチャンネルリストを記憶する受信エリア記憶部と、前記位置情報に示されたデジタル放送受信装置の現在位置が、前記受信エリア記憶部に記憶された現在受信しているチャンネルの放送エリアを越えた場合はチャンネルサーチを開始し、チャンネルサーチ時には、前記複数の受信部を２つに分割して一方にはチャンネルサーチを行わせ、他方には前記映像・音声信号を受信させ、また前記切替部に指示して前記第１の階層の映像・音声信号を選択させる制御部とを備えたことを特徴としている。
【０００７】
また本発明は、階層伝送により映像・音声信号がノイズ耐性に強い第１の階層と、ノイズ耐性に弱い第２の階層で伝送されるデジタル放送信号を受信するためのダイバーシティ受信方法であって、前記デジタル放送信号を受信し選局し復調する複数の受信部を有する受信ステップと、前記受信ステップの出力信号をダイバーシティ合成するダイバーシティ合成ステップと、前記ダイバーシティ合成ステップから出力されたデジタルデータから、前記第１の階層のデジタルデータと前記第２の階層のデジタルデータをそれぞれデコードするデコードステップと、前記デコードステップから出力された前記第１の階層の映像・音声信号と前記第２の階層の映像・音声信号のうち、いずれか一方を選択して出力する切替ステップと、前記ダイバーシティ合成ステップから出力されたデジタルデータから、チャンネル情報を抽出する番組情報抽出ステップと、前記デジタル放送受信装置の現在位置を示す位置情報を取得する位置情報取得ステップと、放送エリアに対応させたチャンネルリストを記憶する受信エリア記憶ステップとを有し、前記位置情報ステップに示されたデジタル放送受信装置の現在位置が、前記受信エリア記憶部に記憶された現在受信しているチャンネルの放送エリアを越えた場合はチャンネルサーチを開始し、チャンネルサーチ時には、前記複数の受信部を２つに分割して一方はチャンネルサーチを行い、他方は前記映像・音声信号を受信し、前記切替ステップは前記第１の階層の映像・音声信号を選択することを特徴としている。
【発明の効果】
【０００８】
本発明によれば、チャンネルサーチ時においても番組の受信を可能とし、また映像・音声信号が途切れるなどの受信不良を抑えることができ、ユーザは好適な状態で放送を受信することができるという効果がある。
【発明を実施するための最良の形態】
【０００９】
以下、本発明の実施の形態を、図面を用いて説明する。
なお、本発明に係るデジタル放送受信装置については、日本の地上デジタル放送の伝送方式であるＩＳＤＢ−Ｔ（Integrated Services Digital Broadcasting for Terrestrial）による放送信号を受信することができる。ＩＳＤＢ−Ｔでは、１チャンネルの伝送帯域を１３個のセグメントに分割し、それぞれのセグメントを組合せて、最大３階層までの階層伝送を行うことができる。現在、この階層伝送を利用し、１２個のセグメントを使用して固定受信端末向けの高品質な放送（以下、弱階層放送と呼ぶ）と、残りの１個のセグメントを使用して携帯受信端末向けの低品質な放送（以下、強階層放送と呼ぶ）が行われている。弱階層放送と強階層放送は、同じ番組内容を放送するサイマル放送となっている。ここで、弱階層放送は、伝送容量が大きく高品質な放送であるが、ノイズ耐性に弱く、放送電波の受信電界強度が比較的大きくないと受信できない。一方、強階層放送は、伝送容量が小さく低品質な放送であるが、ノイズ耐性に強く、放送電波の受信電界強度が比較的小さくても受信できるという特徴がある。
【実施例１】
【００１０】
図１に、本発明の実施例１におけるデジタル放送受信装置のブロック図を示す。
ここで、第１の受信系統１０ａは、アンテナ部１１ａと選局部１２ａと復調部１３ａとを有する。また、第２の受信系統１０ｂは、アンテナ部１１ｂと選局部１２ｂと復調部１３ｂとを有する。また、第３の受信系統１０ｃは、アンテナ部１１ｃと選局部１２ｃと復調部１３ｃとを有する。さらに、第４の受信系統１０ｄは、アンテナ部１１ｄと選局部１２ｄと復調部１３ｄとを有する。
【００１１】
アンテナ部１１ａ〜１１ｄは、放送局から送出されたデジタル放送信号を受信し、それぞれ選局部１２ａ〜１２ｄに供給する。選局部１２ａ〜１２ｄは、制御部２１からの指示に基づき、供給されたデジタル放送信号から所望のチャンネル信号を抽出し、それぞれ復調部１３ａ〜１３ｄに供給する。復調部１３ａ〜１３ｄは、供給された所望のチャンネル信号を復調して復調信号を生成し、ダイバーシティ合成部１４に供給する。ダイバーシティ合成部１４は、復調部１３ａ〜１３ｄより供給された復調信号（以下、受信系統１０ａ〜１０ｄより供給された復調信号と呼ぶ）をダイバーシティ合成する。
【００１２】
ここで、ダイバーシティ合成部１４は、受信系統１０ａ〜１０ｄより供給された４つの復調信号によるダイバーシティ合成（以下、４ダイバーシティ合成と呼ぶ）が可能である。また、ダイバーシティ合成部１４は、任意の２つの受信系統（例えば、受信系統１０ａ、１０ｂ）より供給された２つの復調信号によるダイバーシティ合成を行い、残りの２つの受信系統（例えば、受信系統１０ｃ、１０ｄ）より供給された２つの復調信号によるダイバーシティ合成を行う処理（以下、２−２ダイバーシティ合成と呼ぶ）が可能である。さらに、ダイバーシティ合成部１４は、任意の３つの受信系統（例えば、受信系統１０ａ〜１０ｃ）より供給された３つの復調信号によるダイバーシティ合成を行い、残りの１つの受信系統（例えば、受信系統１０ｄ）より供給された復調信号はダイバーシティ合成を行わない処理（以下、３−１ダイバーシティ合成と呼ぶ）が可能である。
【００１３】
ダイバーシティ合成部１４が４ダイバーシティ合成を行う場合は、４つの選局部１２ａ〜１２ｄは同じチャンネルを選局するとともに、ダイバーシティ合成部１４からは１つの復調信号が出力され、誤り訂正部１５ａに供給される。また、２−２ダイバーシティ合成や、３−１ダイバーシティ合成を行う場合は、４つの受信系統を２つのグループに分割しているため、各グループが互いに異なるチャンネルを選局するとともに、ダイバーシティ合成部１４からは２つの復調信号が出力され、それぞれ誤り訂正部１５ａ、１５ｂに供給される。
【００１４】
なお、ダイバーシティ合成の方法については、どのような方法であっても良い。例えば、選択合成法、等利得合成法、最大比合成法などの合成方法を用いることができる。選択合成法とは、受信電力が最も大きいアンテナの信号のみを選択し、その他のアンテナの信号は使用しない合成方法である。等利得合成法とは、各アンテナからの信号の位相を同一にして合成する方法である。最大比合成法とは、各アンテナからの信号の位相を同一にし、さらに受信電力に比例した重みをつけて合成する方法である。
【００１５】
誤り訂正部１５ａ、１５ｂは、それぞれダイバーシティ合成部１４より供給された復調信号を誤り訂正処理し、トランスポートストリーム信号（以下、ＴＳ信号と呼ぶ）を出力する。強階層デコード部１６は、誤り訂正部１５ａより供給されたＴＳ信号から、強階層の映像・音声データが含まれるＴＳ信号のデコード処理を行い、強階層の映像・音声信号を出力する。また、弱階層デコード部１７は、誤り訂正部１５ａより供給されたＴＳ信号から、弱階層の映像・音声データが含まれるＴＳ信号のデコード処理を行い、弱階層の映像・音声信号を出力する。切替部１８は、制御部２１からの指示に基づき、強階層デコード部１６より供給された強階層の映像・音声信号と、弱階層デコード部１７より供給された弱階層の映像・音声信号のうち、どちらか一方を選択し、映像・音声出力部１９に供給する。映像・音声出力部１９は、供給された強階層の映像・音声信号または弱階層の映像・音声信号を図示しない映像表示装置や、音声出力装置などに供給する。
【００１６】
番組情報抽出部２０は、誤り訂正部１５ｂより供給されたＴＳ信号から、例えば、ＮＩＴ（Network Information Table）、ＢＩＴ（Broadcaster Information Table）、ＳＤＴ（Service Description Table）、ＥＩＴ（Event Information Table）などのチャンネル情報を抽出し、制御部２１に供給する。
【００１７】
制御部２１は、供給されたＮＩＴ、ＢＩＴ、ＳＤＴ、ＥＩＴなどのチャンネル情報をもとに、チャンネルサーチにより発見された受信可能なチャンネルについて、各種情報を保持する。また、制御部２１は、選局部１２ａ〜１２ｄ、ダイバーシティ合成部１４、切替部１８に対して、各種の制御を行う。
【００１８】
ＧＰＳ（Global Positioning System）の受信系統２２はＧＰＳアンテナ部２２ａとＧＰＳ受信部２２ｂを有する。ここではＧＰＳ信号を受信し、車両の現在位置を測位して緯度、経度による位置情報を抽出し、制御部２１に出力する。
受信エリア記憶部２３は、地域の境界線を付加した電子地図情報を記憶している。１つの地域は、１つの都道府県であったり、複数の都道府県をまとめたものであったりする。図２に、受信エリア記憶部２３が保持する電子地図情報の特定地域の例を示す。以下、この電子地図情報を受信エリアマップと呼ぶ。
【００１９】
また、受信エリア記憶部２３は、各地域において放送されている放送局の各種情報を記憶している。図３に、受信エリア記憶部２３が保持する放送局データベースの一例を示す。放送局データベースは、地域名、その地域で放送される放送局名、当該放送局についての中継局の物理チャンネル、当該放送局の系列ＩＤなどの情報が管理させる。図示したように、同じ系列の放送局には同一の系列ＩＤが与えられている。
【００２０】
図２の矢印で、本発明の第１の実施形態に従ったデジタル放送受信装置を搭載した車両の移動経路の一例を示している。
以下、図２に示すようにデジタル放送受信装置を搭載した車両が秋田県のＡ地点から同県と岩手県の県境のＢ地点を経由して、岩手県のＣ地点へ移動する場合のデジタル放送受信装置の処理を説明する。
【００２１】
図４は、本発明の第１の実施の形態に従ったデジタル放送受信装置の処理動作の一例を示すフローチャートである。
制御部２１は、ＧＰＳ受信部２２ｂより供給される車両の位置情報を取得する。そして、制御部２１は、受信エリア記憶部２３が保持する受信エリアマップを参照し、現在位置が受信エリアマップ上のどこに位置するかを把握する。
車両が図２のＡ地点に位置する場合は、選局部１２ａ〜１２ｄに指示して、ユーザが指定するチャンネルを選局させるとともに、ダイバーシティ合成部１４に指示して、４つの受信系統１０ａ〜１０ｄの復調信号を用いた４ダイバーシティ合成を行わせる（Ｓ１０）。ダイバーシティ合成部１４より出力された復調信号は、誤り訂正部１５ａに供給されて誤り訂正処理が行われ、その後、切替部１８によって、強階層デコード部１６より出力された強階層の映像・音声信号と、弱階層デコード部１７より出力された弱階層の映像・音声信号のどちらか一方が選択され、映像・音声出力部１９に供給される。
【００２２】
ここで、切替部１８が強階層の映像・音声信号または弱階層の映像・音声信号のうち、どちらを選択させるかの判断は、どのような方法を用いても良い。例えば、放送電波の受信状態を常時監視し、受信状態が良好で安定している時は弱階層の映像・音声信号を選択し、受信状態が劣化または大きく変動していて不安定な時は強階層の映像・音声信号を選択することができる。
【００２３】
制御部２１は、図２に示すように車両がＢ地点に達し、岩手県に入ったことを検知した場合は（Ｓ１１）、現在よりも受信状態の良い放送局がある可能性があるので、チャンネルサーチを開始する（Ｓ１２に進む）。
始めに、制御部２１は、切替部１８に指示して、強階層の映像・音声信号を選択させる（Ｓ１２）。すなわち、映像・音声出力部１９からは、強階層の映像・音声信号が出力される。
【００２４】
次に、制御部２１は、ダイバーシティ合成部１４に指示して、２−２ダイバーシティ合成、または、３−１ダイバーシティ合成を行わせる（Ｓ１３）。
２−２ダイバーシティ合成を行う場合、ダイバーシティ合成部１４は、任意の２つの受信系統（ここでは、受信系統１０ａ、１０ｂとする）より供給された復調信号を用いてダイバーシティ合成を行い、ダイバーシティ合成後の復調信号を誤り訂正部１５ａに供給する。またダイバーシティ合成部１４は、残りの２つの受信系統（ここでは、受信系統１０ｃ、１０ｄとする）より供給された復調信号を用いてダイバーシティ合成を行い、ダイバーシティ合成後の復調信号を誤り訂正部１５ｂに供給する。
【００２５】
続いて、制御部２１は、選局部１２ａ、１２ｂに指示して、現在受信しているチャンネルの選局を続行させるとともに、選局部１２ｃ、１２ｄに指示して、チャンネルサーチによって探索すべきチャンネルを順番に選局させる（Ｓ１４）。すなわち、チャンネルサーチを行っている最中であっても、通常の受信時と同じ番組内容である強階層の映像・音声信号を受信することができる。
【００２６】
ここで、チャンネルサーチの処理手順を説明する。例えば、現在受信しているチャンネルが「ＮＨＫ総合・秋田」である場合は、制御部２１は受信エリア記憶部２３の放送局データベースを参照し、岩手県の放送局において「ＮＨＫ総合・秋田」と同一系列（系列ＩＤ＝０）の放送局である「ＮＨＫ総合・岩手」の中継局の物理チャンネルを順にサーチする。受信可能なチャンネルが見つかり、かつ番組情報抽出部２０で取得したこのチャンネルの各種番組情報（ＮＩＴ、ＢＩＴ、ＳＤＴ、ＥＩＴなど）をもとに同一系列の放送局であることが判明した場合は、選局部１２ａ〜１２ｄに指示して、このチャンネルを選局させる。または、制御部２１は、現在「ＮＨＫ総合・秋田」が受信可能である場合は、見つかった同一系列の放送局の物理チャンネルをメモリに保持しておき、「ＮＨＫ総合・秋田」が受信できなくなった場合にこの物理チャンネルを選局させるようにしても良い。
また、「ＮＨＫ総合・岩手」の中継局の物理チャンネルをサーチしても同一系列の放送局が見つからなかった場合は、まだサーチしていない他の物理チャンネルをサーチしたり、所定時間後に再び「ＮＨＫ総合・岩手」の中継局の物理チャンネルをサーチさせても良い。
【００２７】
また、チャンネルサーチの別の処理手順として、制御部２１は全ての物理チャンネルを順にサーチ、あるいは岩手県で放送されている全放送局について各放送局の中継局の物理チャンネルを順にサーチすることによって受信可能な放送局を見つけ、現在位置で受信可能な放送局のリストを作成し、ユーザに提示するようにしても良い。
【００２８】
一方、３−１ダイバーシティ合成を行う場合、ダイバーシティ合成部１４は、任意の３つの受信系統（ここでは、受信系統１０ａ〜１０ｃとする）より供給された復調信号を用いてダイバーシティ合成を行い、残りの１つの受信系統（ここでは、受信系統１０ｄとする）より供給された復調信号はダイバーシティ処理をしない。
【００２９】
制御部２１は、チャンネルサーチを安定に行うことよりも、現在受信しているチャンネルの安定な受信をより重視したいとするときは、ダイバーシティ合成部１４に指示して、ダイバーシティ合成後の復調信号を誤り訂正部１５ａに供給し、受信系統１０ｄの復調信号を誤り訂正部１５ｂに供給する。続いて、制御部２１は、選局部１２ａ〜１２ｃに指示して、現在受信しているチャンネルの選局を続行させるとともに、選局部１２ｄに指示して、チャンネルサーチによって探索すべきチャンネルを順番に選局させる。
【００３０】
また、制御部２１は、現在受信しているチャンネルを安定に受信することよりも、チャンネルサーチの安定・確実な実行をより重視したいとするときは、ダイバーシティ合成部１４に指示して、ダイバーシティ合成後の復調信号を誤り訂正部１５ｂに供給し、受信系統１０ｄの復調信号を誤り訂正部１５ａに供給する。続いて、制御部２１は、選局部１２ａ〜１２ｃに指示して、チャンネルサーチによって探索すべきチャンネルを順番に選局させるとともに、選局部１２ｄに指示して、現在受信しているチャンネルの選局を続行させる。
【００３１】
その後、制御部２１は、Ｓ１４におけるチャンネルサーチが終了すると、ダイバーシティ合成部１４に指示して、４つの受信系統１０ａ〜１０ｄの復調信号を用いた４ダイバーシティ合成を行わせる（Ｓ１５）。
最後に、制御部２１は、切替部１８に指示して、強階層の映像・音声信号の選択を解除させる（Ｓ１６）。
【００３２】
以上のように、本発明のデジタル放送受信装置では、通常の受信時は、４つの受信系統からの復調信号を用いて４ダイバーシティ合成による受信を行う。都道府県の県境を越えた際は、４つの受信系統を２つのグループに分割して、一方の受信系統のグループはそれまで受信していたチャンネルを受信し、他方の受信系統のグループはチャンネルサーチを行い、受信可能なチャンネルを探索する。このため、チャンネルサーチ時にも番組の受信が可能になる。チャンネルサーチ開始前に、ノイズ耐性に強い強階層の映像・音声信号を出力することで、チャンネルサーチ時に映像・音声信号が途切れるなどの受信不良の発生を抑えることができる。チャンネルサーチを、地域の境界を越える時などの適切なタイミングで行うことができる。
【実施例２】
【００３３】
本発明の実施例２の形態を説明する。
第２の実施の形態におけるデジタル放送受信装置のブロック図は、図１に示した第１の実施の形態におけるデジタル放送受信装置のブロック図と同様であるため、説明は省略する。
【００３４】
第２の実施の形態において、受信エリア記憶部２３は、各地域ごとに放送受信エリアの境界線を付加した電子地図情報を記憶している。図５に、受信エリア記憶部２３が保持する電子地図情報の特定地域の例を示す。以下、この電子地図情報を受信エリアマップと呼ぶ。
また、受信エリア記憶部２３は、図３に示した第１の実施の形態におけるデジタル放送受信装置の放送局データベースと同様のものを保持する。
【００３５】
図５は、本発明の第２の実施形態に従ったデジタル放送受信装置を搭載した車両の移動経路の一例を示している。
以下、図５に示すようにデジタル放送受信装置を搭載した車両が秋田県のＤ地点から、岩手県の放送受信エリアに入るＥ地点、秋田県の放送受信エリアを外れるＦ地点を経由して、岩手県のＧ地点へ移動する場合のデジタル放送受信装置の処理を説明する。
【００３６】
図６は、本発明の実施例２の形態に従ったデジタル放送受信装置の処理動作の一例を示すフローチャートである。
制御部２１は、ＧＰＳ受信部２２ｂより供給される車両の位置情報を取得する。そして、制御部２１は、受信エリア記憶部２３が保持する受信エリアマップを参照し、現在位置が受信エリアマップ上のどこに位置するかを把握する。
【００３７】
車両が図５のＤ地点に位置する場合は、選局部１２ａ〜１２ｄに指示して、ユーザが指定するチャンネルを選局させるとともに、ダイバーシティ合成部１４に指示して、４つの受信系統１０ａ〜１０ｄの復調信号を用いた４ダイバーシティ合成を行わせる（Ｓ１０）。ダイバーシティ合成部１４より出力された復調信号は、誤り訂正部１５ａに供給されて誤り訂正処理が行われ、その後、切替部１８によって、強階層デコード部１６より出力された強階層の映像・音声信号と、弱階層デコード部１７より出力された弱階層の映像・音声信号のどちらか一方が選択され、映像・音声出力部１９に供給される。
【００３８】
ここで、切替部１８が強階層の映像・音声信号または弱階層の映像・音声信号のうち、どちらを選択させるかの判断は、どのような方法を用いても良い。例えば、放送電波の受信状態を常時監視し、受信状態が良好で安定している時は弱階層の映像・音声信号を選択し、受信状態が劣化または大きく変動していて不安定な時は強階層の映像・音声信号を選択することができる。
【００３９】
制御部２１は、図５に示すように車両がＥ地点に達し、岩手県の放送受信エリアに入ったことを検知した場合は（Ｓ１８）、現在よりも受信状態の良いチャンネルがある可能性があるので、チャンネルサーチを開始する（Ｓ１２に進む）。
【００４０】
始めに、制御部２１は、切替部１８に指示して、強階層の映像・音声信号を選択させる（Ｓ１２）。すなわち、映像・音声出力部１９からは、強階層の映像・音声信号が出力される。
【００４１】
次に、制御部２１は、ダイバーシティ合成部１４に指示して、２−２ダイバーシティ合成、または、３−１ダイバーシティ合成を行わせる（Ｓ１３）。
２−２ダイバーシティ合成を行う場合、ダイバーシティ合成部１４は、任意の２つの受信系統（ここでは、受信系統１０ａ、１０ｂとする）より供給された復調信号を用いてダイバーシティ合成を行い、ダイバーシティ合成後の復調信号を誤り訂正部１５ａに供給する。またダイバーシティ合成部１４は、残りの２つの受信系統（ここでは、受信系統１０ｃ、１０ｄとする）より供給された復調信号を用いてダイバーシティ合成を行い、ダイバーシティ合成後の復調信号を誤り訂正部１５ｂに供給する。
【００４２】
続いて、制御部２１は、選局部１２ａ、１２ｂに指示して、現在受信しているチャンネルの選局を続行させるとともに、選局部１２ｃ、１２ｄに指示して、チャンネルサーチによって探索すべきチャンネルを順番に選局させる（Ｓ１４）。すなわち、チャンネルサーチを行っている最中であっても、通常の受信時と同じ番組内容である強階層の映像・音声信号を受信することができる。
【００４３】
ここで、チャンネルサーチの処理手順を説明する。例えば、現在受信しているチャンネルが「ＮＨＫ総合・秋田」である場合は、まず受信エリア記憶部２３の放送局データベースを参照し、「ＮＨＫ総合・秋田」の中継局の物理チャンネルをサーチし、現在受信しているチャンネル以外で「ＮＨＫ総合・秋田」が受信可能なチャンネルを探索する。新たに見つかったチャンネルの受信状態が、現在受信しているチャンネルよりも良好でかつ番組情報抽出部２０で取得したこのチャンネルの各種番組情報（ＮＩＴ、ＢＩＴ、ＳＤＴ、ＥＩＴなど）をもとに中継局であることが判明した場合は、選局部１０ａ〜１０ｄに指示して、このチャンネルを選局させる。または、制御部２１は、現在受信している放送が受信可能である場合は、見つかった中継局の物理チャンネルをメモリに保持しておき、現在受信している放送が受信できなくなった場合にこの物理チャンネルを選局させるようにしても良い。
【００４４】
一方、制御部２１は、見つかった中継局の受信状態よりも、現在受信している放送の受信状態が良好な場合、または中継局が見つからなかった場合は、再び受信エリア記憶部２３の放送局データベースを参照し、岩手県の放送局において「ＮＨＫ総合・秋田」と同一系列（系列ＩＤ＝０）の放送局である「ＮＨＫ総合・岩手」の中継局の物理チャンネルを順にサーチする。受信可能なチャンネルが見つかり、かつ番組情報抽出部２０で取得したこのチャンネルの各種番組情報（ＮＩＴ、ＢＩＴ、ＳＤＴ、ＥＩＴなど）をもとに同一系列の放送局であることが判明した場合は、選局部１０ａ〜１０ｄに指示して、このチャンネルを選局させる。または、制御部２１は、現在受信している放送が受信可能である場合は、見つかった同一系列の放送局の物理チャンネルをメモリに保持しておき、現在受信している放送が受信できなくなった場合にこの物理チャンネルを選局させるようにしても良い。
また、「ＮＨＫ総合・岩手」の中継局の物理チャンネルをサーチしても同一系列の放送局が見つからなかった場合は、まだサーチしていない他の物理チャンネルをサーチしたり、所定時間後に再び「ＮＨＫ総合・岩手」の中継局の物理チャンネルをサーチさせても良い。
【００４５】
また、チャンネルサーチの別の処理手順として、制御部２１は全ての物理チャンネルを順にサーチ、あるいは秋田県や岩手県で放送されている全放送局について各放送局の中継局の物理チャンネルを順にサーチすることによって受信可能な放送局を見つけ、現在位置で受信可能な放送局のリストを作成し、ユーザに提示するようにしても良い。
【００４６】
一方、３−１ダイバーシティ合成を行う場合、ダイバーシティ合成部１４は、任意の３つの受信系統（ここでは、受信系統１０ａ〜１０ｃとする）より供給された復調信号を用いてダイバーシティ合成を行い、残りの１つの受信系統（ここでは、受信系統１０ｄとする）より供給された復調信号はダイバーシティ処理をしない。
【００４７】
制御部２１は、チャンネルサーチを安定に行うことよりも、現在受信しているチャンネルの安定な受信をより重視したいとするときは、ダイバーシティ合成部１４に指示して、ダイバーシティ合成後の復調信号を誤り訂正部１５ａに供給し、受信系統１０ｄの復調信号を誤り訂正部１５ｂに供給する。続いて、制御部２１は、選局部１２ａ〜１２ｃに指示して、現在受信しているチャンネルの選局を続行させるとともに、選局部１２ｄに指示して、チャンネルサーチによって探索すべきチャンネルを順番に選局させる。
【００４８】
また、制御部２１は、現在受信しているチャンネルを安定に受信することよりも、チャンネルサーチの安定・確実な実行をより重視したいとするときは、ダイバーシティ合成部１４に指示して、ダイバーシティ合成後の復調信号を誤り訂正部１５ｂに供給し、受信系統１０ｄの復調信号を誤り訂正部１５ａに供給する。続いて、制御部２１は、選局部１２ａ〜１２ｃに指示して、チャンネルサーチによって探索すべきチャンネルを順番に選局させるとともに、選局部１２ｄに指示して、現在受信しているチャンネルの選局を続行させる。
【００４９】
その後、制御部２１は、Ｓ１４におけるチャンネルサーチが終了すると、ダイバーシティ合成部１４に指示して、４つの受信系統１０ａ〜１０ｄの復調信号を用いた４ダイバーシティ合成を行わせる（Ｓ１５）。
最後に、制御部２１は、切替部１８に指示して、強階層の映像・音声信号の選択を解除させる（Ｓ１６）。
【００５０】
制御部２１は、図５に示すように車両がＦ地点に達し、秋田県の放送受信エリアから外れたことを検知した場合は、図６に示した処理動作に従ってチャンネルサーチを実行する。このとき、制御部２１は、秋田県の放送受信エリアから外れたので、図６に示した処理動作において、「ＮＨＫ総合・秋田」の中継局の物理チャンネルをサーチする処理を行わなくても良い。
【００５１】
以上のように、本発明のデジタル放送受信装置では、通常の受信時は、４つの受信系統からの復調信号を用いて４ダイバーシティ合成による受信を行う。地域の放送局受信エリアを越えた際は、４つの受信系統を２つのグループに分割して、一方の受信系統のグループはそれまで受信していたチャンネルを受信し、他方の受信系統のグループはチャンネルサーチを行い、受信可能なチャンネルを探索する。このため、チャンネルサーチ時にも番組の受信が可能になる。サーチ開始前に、ノイズ耐性に強い強階層の映像・音声信号を出力することで、チャンネルサーチ時に映像・音声信号が途切れるなどの受信不良の発生を抑えることができる。また、地域の放送受信エリアを越えた際にチャンネルサーチを行うことにより、地域を越えた際にチャンネルサーチを行う第１の実施の形態に比べて、実際に受信環境に応じた適切なタイミングでチャンネルサーチを開始させることができる。
【００５２】
なお、本発明の実施の形態におけるデジタル放送受信装置は、４つの受信系統による構成例を示したが、２つや３つ、５つ以上の受信系統による構成も可能である。このような場合においても、デジタル放送受信装置は、チャンネルサーチ時は２つの受信系統のグループに分割し、一方の受信系統のグループは通常の受信時と同じチャンネルを受信し、他方の受信系統のグループはチャンネルサーチを行い、受信可能なチャンネルを取得する。チャンネルサーチ開始前に、ノイズ耐性に強い強階層の映像・音声信号を出力することで、チャンネルサーチ時に映像・音声信号が途切れるなどの受信不良の発生を抑えることができる。
【図面の簡単な説明】
【００５３】
【図１】本発明の実施例１におけるデジタル放送受信装置の構成を示すブロック図である。
【図２】本発明の実施例１におけるデジタル放送受信装置において、受信エリア記憶部２３が保持する受信エリアマップの一例である。
【図３】本発明の実施例１におけるデジタル放送受信装置において、受信エリア記憶部２３が保持する放送局データベースの一例である。
【図４】本発明の実施例１におけるデジタル放送受信装置の動作の一例を示すフローチャートである。
【図５】本発明の実施例２におけるデジタル放送受信装置において、受信エリア記憶部２３が保持する受信エリアマップの一例である。
【図６】本発明の実施例２におけるデジタル放送受信装置の動作の一例を示すフローチャートである。
【符号の説明】
【００５４】
１０ａ〜１０ｄ・・・受信系統
１１ａ〜１１ｄ・・・アンテナ部
１２ａ〜１２ｄ・・・選局部
１３ａ〜１３ｄ・・・復調部
１４・・・・・・・・ダイバーシティ合成部
１５ａ、１５ｂ・・・誤り訂正部
１６・・・・・・・・強階層デコード部
１７・・・・・・・・弱階層デコード部
１８・・・・・・・・切替部
１９・・・・・・・・映像・音声出力部
２０・・・・・・・・番組情報抽出部
２１・・・・・・・・制御部
２２・・・・・・・・ＧＰＳの受信系統
２１ａ・・・・・・・ＧＰＳアンテナ部
２２ｂ・・・・・・・ＧＰＳ受信部
２３・・・・・・・・受信エリア記憶部。
【図１】
2010141420.tif 000003
【図２】
2010141420.tif 000004
【図３】
2010141420.tif 000005
【図４】
2010141420.tif 000006
【図５】
2010141420.tif 000007
【図６】
2010141420.tif 000008